(57)【要約】買手の端末装置から代金に相当する金額を表す価値情報を受信し、その旨を売手の端末装置などに通知する。売手が売買の対象の物品に配送伝票を付して配送業者に配送を委託してその配送伝票の伝票番号を受信する。受信した伝票番号を用いて配送業者のサーバ装置に配送状況を問い合せ、その問い合せの結果に応じて価値情報を売手の端末装置に送信するエスクローサーバ装置やそのようなエスクローサーバ装置を備えるシステムを提供する。
2009087916.tif 000002
【特許請求の範囲】
【請求項１】
エスクローサーバ装置と配送管理サーバ装置とを有する配送管理システムであって、
前記エスクローサーバ装置は、
配送伝票が付され、その配送伝票の伝票番号により配送状況が前記配送管理サーバ装置にて管理される物品の購入の申込の情報を販売サーバ装置へ送信しその返信としてその支払うべき対価の情報を受信した購入者端末装置より前記対価に相当する価値が関連付けられている価値情報を受信する価値情報受信部と、
前記価値情報が受信されたことを前記販売サーバ装置に通知する価値情報受信通知部と、
前記通知に応じて前記伝票番号を受信する伝票番号受信部と、
前記配送管理サーバ装置に伝票番号を送信し前記物品の配送状況についての問い合せを実行する配送状況問合部と、
前記問い合せに対する配送状況の情報を受信する配送状況受信部と、
前記受信された配送状況の情報に応じて、前記価値情報受信部で受信された価値情報に関連付けられる価値の全て又は一部が関連付けられた価値情報を送信する価値情報送信部と
を有し、
前記配送管理サーバ装置は、
物品の配送状況を取得し、その配送状況をその物品に付された配送伝票の伝票番号と関連付けて記憶する配送状況管理部と、
前記エスクローサーバ装置より伝票番号を受信し、その伝票番号で識別される配送伝票が付された物品の配送状況を応答する配送状況問合処理部と、
を有する配送管理システム。
【請求項２】
前記伝票番号受信部は、前記販売サーバ装置より伝票番号を受信する請求項１に記載の配送管理システム。
【請求項３】
前記伝票番号受信部は、前記通知を受信した前記販売サーバ装置が前記配送管理サーバ装置へ集荷要求を送信することにより、前記配送管理サーバが返信する伝票番号を受信する請求項１に記載の配送管理システム。
【請求項４】
前記価値情報受信部は、前記購入者端末装置より配送伝票に記入するべき配送先の情報を受信する配送情報受信部を有し、
前記配送情報受信手段で受信された情報を前記伝票番号受信部で受信された伝票番号と関連付けて前記配送管理サーバ装置へ送信する請求項３に記載の配送管理システム。
【請求項５】
前記価値情報送信部は、前記配送状況受信部にて受信した配送状況の情報が、前記物品が配送中を示すときに前記価値情報受信部で受信された価値情報に関連付けられる価値の一部に関連付けられる価値情報を送信する請求項１に記載の配送管理システム。
【請求項６】
前記価値情報送信部は、前記配送状況受信部にて受信した配送状況の情報が、前記物品の配送が完了したことを示す場合に、前記価値情報受信部で受信された価値情報に関連付けられる価値の全て又は一部に関連付けられる価値情報を送信する請求項１に記載の配送管理システム。
【請求項７】
伝票番号で識別される配送伝票を付して売手側から、配送業者サーバ装置にて配送状況を管理する配送業者を介して配送される物品の買手側が支払う代金の金銭価値が関連付けられた第１の価値情報を受信する価値情報受信部と、
前記第１の価値情報を受信した旨を送信する価値情報受信通知部と、
前記価値情報受信通知部による送信に応じて返信される前記伝票番号を受信する伝票番号受信部と、
前記伝票番号を送信し前記物品の配送状況を前記配送業者サーバ装置に問い合せる配送状況問合部と、
前記問い合せの結果を受信する配送状況受信部と、
前記結果に応じて、前記第１の価値情報に関連付けられている金銭価値の全て又は一部が関連付けられた第２の価値情報を送信する価値情報送信部と、
を有することを特徴とするエスクローサーバ装置。
【請求項８】
前記伝票番号受信部は、前記配送業者サーバ装置より前記伝票番号を受信することを特徴とする請求項７に記載のエスクローサーバ装置。
【請求項９】
前記価値情報受信部は、前記配送伝票に記載するべき配送先の情報を受信する配送先情報受信手段を有し、
前記価値情報受信通知部は、前記配送業者サーバ装置へ前記配送先の情報を通知する配送先情報通知手段を有することを特徴とする請求項８に記載のエスクローサーバ装置。
【請求項１０】
前記伝票番号受信部は、前記売手側のサーバ装置より前記伝票番号を受信することを特徴とする請求項７に記載のエスクローサーバ装置。
【請求項１１】
前記価値情報送信部は、前記結果が、前記配送業者が前記物品を受領した旨を示す場合、前記配送業者による配送料の金銭価値が関連付けられた価値情報を前記第２の価値情報として送信することを特徴とする請求項７から１０のいずれか一に記載のエスクローサーバ装置。
【請求項１２】
前記価値情報送信部は、前記結果が、前記物品の配送が完了した旨を示す場合、前記売手側が受ける金銭価値が関連付けられた価値情報を前記第２の価値情報として送信することを特徴とする請求項７から１０のいずれか一に記載のエスクローサーバ装置。
【請求項１３】
価値管理サーバ装置とエスクローサーバ装置を有するエスクローシステムであって、
前記価値管理サーバ装置は、
有効性の判断を行うための照合用情報を含み金銭価値が関連付けられた価値情報を受信する受信部と、
受信した価値情報に含まれる照合用情報が有効であるかどうかを判断する判断部と、
前記判断部による判断の結果が、前記照合用情報が有効である、との結果であれば、前記照合用情報を無効にし、新たな有効な照合用情報を準備し、前記価値情報に含まれる前記無効にされた照合用情報を前記準備された新たな有効な照合用情報に置換して得られる置換済価値情報を送信する送信部と、
を有し、
前記エスクローサーバ装置は、
伝票番号で識別される配送伝票を付して売手側から配送業者を介して配送される物品の買手側が支払う代金の金銭価値が関連付けられた第１の価値情報を、前記価値管理サーバを介して受信する価値情報受信部と、
前記第１の価値情報を受信した旨を送信する価値情報受信通知部と、
前記価値情報受信通知部による送信に応じて返信される前記伝票番号を受信する伝票番号受信部と、
前記伝票番号を送信し前記物品の配送状況を問い合せる配送状況問合部と、
前記問い合せの結果を受信する配送状況受信部と、
前記受信された結果に応じて、前記第１の価値情報に関連付けられている金銭価値の全て又は一部が関連付けられた第２の価値情報を送信する価値情報送信部と、
を有することを特徴とするエスクローシステム。
【請求項１４】
前記価値管理サーバ装置の受信部は、
受信された価値情報に関連付けられている金銭価値の分割の仕方を表す分割情報を受信する分割情報受信手段と、
前記分割情報に従って分割された金銭価値の一方を前記受信された価値情報に関連付け、前記分割された金銭価値の他方が関連付けられた新たな価値情報を生成する分割手段と、
を有し、
前記価値管理サーバ装置の価値管理サーバの送信部は、前記置換済価値情報と前記新た
な価値情報を送信し、
前記エスクローサーバ装置の価値情報送信部は、前記第１の価値情報と前記受信された結果に応じて前記第１の価値情報に関連付けられている金銭価値を分割する分割情報とを前記価値管理サーバ装置へ送信した結果、前記価値管理サーバ装置から送信される価値情報のうち一方を送信し、他方を新たな第１の価値情報として記憶する請求項１３に記載のエスクローシステム。
【請求項１５】
前記エスクローサーバ装置の価値情報送信部は、前記受信された結果が前記物品を前記配送業者が前記売手側より受領した旨であれば、前記価値管理サーバ装置へ前記第１の価値情報と前記第１の価値情報に関連付けられている金銭価値を前記配送業者による配送料の金銭価値とその他に分割する分割情報とを送信する結果、前記価値管理サーバ装置から送信される価値情報のうち前記配送業者による配送料の金銭価値が関連付けられた価値情報を送信し、前記価値管理サーバ装置から送信される他方の価値情報を新たな第１の価値情報として記憶する請求項１４に記載のエスクローシステム。
【請求項１６】
前記エスクローサーバ装置の価値情報送信部は、前記受信された結果が前記物品の配送が完了した旨であれば、前記価値管理サーバ装置へ前記第１の価値情報と前記第１の価値情報に関連付けられている金銭価値を前記売手側が受ける金銭価値とその他に分割する分割情報を送信する結果、前記価値管理サーバ装置から送信される価値情報のうち前記売手側が受ける金銭価値が関連付けられた価値情報を送信し、前記価値管理サーバ装置から送信される他方の価値情報を新たな第１の価値情報として記憶する請求項１４または１５に記載のエスクローシステム。
【請求項１７】
通信回線に接続されたサーバ装置をエスクローサーバ装置として動作させる方法であって、
伝票番号で識別される配送伝票を付して売手側から配送業者を介して配送される物品の買手側が支払う代金の金銭価値が関連付けられた第１の価値情報を、前記サーバ装置が前記通信回線を介して受信し、
前記価値情報を受信した旨を、前記サーバ装置が前記通信回線を介して送信し、
前記価値情報を受信した旨の送信に応じて返信される前記伝票番号を、前記サーバ装置が前記通信回線を介して受信し、
前記伝票番号を送信し前記配送業者による前記物品の配送状況を、前記サーバ装置が前記通信回線を介して問い合せ、
前記問い合せの結果を、前記サーバ装置が前記通信回線を介して受信し、
前記返信の内容に応じて、前記第１の価値情報に関連付けられている金銭価値の一部が関連付けられた第２の価値情報を、前記サーバ装置が前記通信回線を介して送信することを特徴とする動作方法。
【請求項１８】
通信回線に接続された一または複数のサーバ装置を、価値管理サーバ装置とエスクローサーバ装置とを有するエスクローシステムとして動作させる方法であって、
前記価値管理サーバ装置として動作するサーバ装置は、
有効性の判断を行うための照合用情報を含み金銭価値が関連付けられた価値情報を受信し、
受信した価値情報に含まれる照合用情報が有効であるかどうかを判断し、
前記判断の結果が、前記照合用情報が有効である、との結果であれば、前記照合用情報を無効にし、新たな有効な照合用情報を準備し、前記価値情報に含まれる前記無効にされた照合用情報を前記準備された新たな有効な照合用情報に置換して得られる置換済価値情報を送信し、
前記エスクローサーバ装置として動作するサーバ装置は、
伝票番号で識別される配送伝票を付して売手側から配送業者を介して配送される物品の買手側が支払う代金の金銭価値が関連付けられた第１の価値情報を、前記価値管理サーバとして動作するサーバ装置を介して受信し、
前記第１の価値情報を受信した旨を送信し、
前記第１の価値情報を受信した旨の送信に対する返信として前記物品に付された配送伝票を識別する伝票番号を受信し、
前記伝票番号を送信し前記物品の配送状況を問い合せ、
前記問い合せの返信を受信し、
前記返信の内容に応じて、前記第１の価値情報に関連付けられている金銭価値の全て又は一部が関連付けられた第２の価値情報を送信する動作方法。
【発明の詳細な説明】
【技術分野】
【０００１】
本発明は、電子商取引に代表される取引において物品の提供または代金の支払いが行われないことを防止する配送管理システム、エスクローサーバ装置、エスクローシステム、エスクロー方法に関する。
【背景技術】
【０００２】
従来の商取引においては、売手と買手とが売手の店舗などで対面し、売手が商品を提供し、その見返りとして買手が代金を提供していた。このため、買手が代金を支払ったにもかかわらず、商品が提供されないことや、売手が商品を提供したにもかかわらず代金が支払われないという債務不履行の発生は少なかった。【０００３】
しかしながら、カタログの提供やインターネットを用いた商品の販売の申し込みに対して買手が商品の注文を行う形態で売手と買手とが実際に対面せずに商取引を行う場合が著しく増えてきている。このため、商品の発送と代金の支払いとにタイムラグが生じ、債務不履行の発生が増えてきた。特に、近年では、インターネットを用いた物品のオークションが盛んに行われるようになり、代金を振り込んだにもかかわらず落札した物品が提供されないというトラブルが続発している。【０００４】
そこで、取引の安全性を保証するためのサービスとして、エスクローサービスが注目されるようになってきた（例えば、特許文献１参照。）。このサービスでは、売手と買手との間で取引契約が成立すると、買手が代金をエスクロー業者の指定する銀行口座などに入金し、エスクロー業者が入金のあったことを売手に伝え、それに対応して売手が商品を発送し、買手が商品を受領するとその旨をエスクロー業者に伝え、エスクロー業者が代金を売手に支払うことが行われる。【０００５】
【特許文献１】特開２００２−３１８９３４号公報
【発明の開示】
【発明が解決しようとする課題】
【０００６】
しかしながら、上述のようなエスクローサービスでは、買手が商品を受領した旨を伝えなければならず、買手の手間が増える。また、買手が商品を受領してもその旨を伝えなければ、売手にエスクロー業者から代金が支払われない。【０００７】
また、買手が第三者へのプレゼントの品を購入し配送を売手に依頼する場合、プレゼントの品を受領した第三者にプレゼントの品を受領した旨を伝える手間を取らせることになるため、第三者に対して失礼などにあたることがあり、プレゼントの品を贈る場合にはエスクローサービスはほとんど使われることはない。【０００８】
また買手が商品の受領を拒否すると、商品は売手に戻されることになるが、この場合の配送料は売手の負担となり、売手が不利益を蒙ることになる。【０００９】
本発明は、このような従来のエスクローサービスの問題を解決し、売手にも買手にも不利益が発生することを低減あるいは防止することを目的とする。
【課題を解決するための手段】
【００１０】
本発明の一実施形態として、次の配送管理システムが提供される。すなわち、エスクローサーバ装置と配送管理サーバ装置とを有する配送管理システムであって、エスクローサーバ装置は、購入者端末装置より価値情報を受信する。この価値情報は、購入者端末装置が販売サーバ装置へ物品等の購入の申込を行った結果、販売サーバ装置より受信した支払対価に相当する価値が関連付けられている情報である。また、購入する物品等には、配送伝票が付されて配送がされ、その配送伝票は、伝票番号で識別される。そして、配送伝票が付された物品等の配送状況は、伝票番号と関連付けられて配送管理サーバ装置にて管理がされる。エスクローサーバ装置が購入者端末より価値情報を受信すると、価値情報を受信した旨を販売サーバ装置に通知する。エスクローサーバ装置は、その通知に応じて、購入の申込がされた物品に付される配送伝票の伝票番号を受信する。そして、エスクローサーバ装置は伝票番号を配送管理システムに送信して、その伝票番号で識別される配送伝票が付された物品の配送状況の情報を受信し、その情報に応じて、価値情報に関連付けられている価値の全て又は一部が関連付けられている価値情報を送信する。【００１１】
本発明の一実施形態として、買手の端末装置から代金に相当する金額を表す価値情報を受信し、その旨を売手の端末装置などに通知し、売手が売買の対象の物品に配送伝票を付して配送業者に配送を委託してその配送伝票の伝票番号を受信し、受信した伝票番号を用いて配送業者のサーバ装置に配送状況を問い合せ、その問い合せの結果に応じて価値情報を送信するエスクローサーバ装置を提供する。【００１２】
また、本発明の一実施形態として、価値管理サーバ装置とエスクローサーバ装置を有するエスクローシステムであって、その価値管理サーバ装置は、有効性の判断を行うための照合用情報を含み金銭価値が関連付けられた価値情報を受信する受信部と、受信した価値情報に含まれる照合用情報が有効であるかどうかを判断する判断部と、判断の結果が、受信した価値情報に含まれる照合用情報が有効である、との結果であれば、その照合用情報を無効にし、新たな有効な照合用情報を準備し、受信した価値情報に含まれる照合用情報をその準備された新たな有効な照合用情報に置換して得られる置換済価値情報を送信する送信部と、を有し、そのエスクローサーバ装置は、伝票番号で識別される配送伝票を付して売手側から配送業者を介して配送される物品の買手側が支払う代金の金銭価値を表す価値データを含む第１の価値情報を、価値管理サーバを介して受信する価値情報受信部と、価値情報を受信した旨を送信する価値情報受信通知部と、価値情報受信通知部による送信に応じて返信される伝票番号を受信する伝票番号受信部と、受信された伝票番号を送信し前記物品の配送状況を問い合せる配送状況問合部と、問い合せの結果を受信する配送状況受信部と、返信の結果に応じて、第１の価値情報に関連付けられている価値の全て又は一部が関連付けられた第２の価値情報を送信する価値情報送信部と、を有することを特徴とするエスクローシステムを提供する。
【発明の効果】
【００１３】
このようなエスクローサーバ装置やシステムにより、買手等が商品等の物品を受領した旨を通知する必要が無くなり、また、売手側は配送の状況に応じて配送料などを受け取ることが可能となる。また、代金の支払いに用いられる電子マネーなどの価値を表す情報の二重使用を防止することができる。
【図面の簡単な説明】
【００１４】
【図１】商取引システムの概要図である。
【図２】商取引システムにおける処理の流れを説明するシーケンス図である。
【図３】購入者端末装置のハードウェア構成図である。
【図４】購入者端末装置に接続等されているディスプレイの表示例を示す図である。
【図５】エスクローサーバ装置の管理するデータベースの構造の一例とその変更の過程の一例とを示す図である。
【図６】エスクローサーバ装置での処理のフローチャートである。
【図７】エスクローサーバ装置での処理のフローチャートである。
【図８】エスクローサーバ装置での処理のフローチャートである。
【図９】価値情報を管理する装置の機能ブロック図とその装置での処理のフローチャートである。
【図１０】エスクローシステムの機能ブロック図である。
【図１１】価値管理サーバ装置の処理のフローチャートである。
【図１２】エスクローシステムの機能ブロック図である。
【図１３】価値管理サーバ装置の機能ブロック図である。
【符号の説明】
【００１５】
１００  商取引システム
１０１  購入者端末装置
１０２  販売者サーバ装置
１０３  エスクローサーバ装置
１０４  配送業者サーバ装置
１０５  購買処理部
１０６  価値情報送信部
１０７  販売処理部
１０８  伝票番号送信部
１０９  購入申込情報
１１０  取引内容情報
１１１  取引内容情報
１１２  取引番号と価値情報を含む情報
１１３  配送される物品
１１４  配送される物品に付された配送伝票
１１５  配送される物品に付された配送伝票を識別する伝票番号情報
１１６  価値情報受信部
１１７  価値情報受信通知部
１１８  伝票番号受信部
１１９  配送状況問合部
１２０  配送状況受信部
１２１  価値情報送信部
１２２  取引番号情報
１２３  取引番号情報
１２４  取引番号と伝票番号情報を含む情報
１２５  伝票番号情報
１２６  伝票番号情報
１２７  配送状況情報
１２８  価値情報
１２９  価値情報
１３０  配送状況問合処理部
１３１  配送状況管理部
【発明を実施するための最良の形態】
【００１６】
以下において本発明を実施するための最良の形態について実施形態として図面を参照して説明を行う。なお、本発明はこれら実施形態に何ら限定されるものではなく、その要旨を逸脱しない範囲において種々なる態様で実施することができる。また、同じ部分には同じ符号を用いて図示をし、説明の繰り返しを省略する場合がある。なお、同じ定義が適用される部分であっても異なる符号を用いる場合がある。【００１７】
（実施形態１）
図１は、本発明の実施形態１に係るエスクローサーバ装置を含む商取引システムの概要を示す図である。商取引システム１００は、購入者端末装置１０１と、販売者サーバ装置１０２と、エスクローサーバ装置１０３と、配送業者サーバ装置１０４と、を備えている。購入者端末装置１０１、販売者サーバ装置１０２、エスクローサーバ装置１０３、配送業者サーバ装置１０４は、例えば、インターネットに代表される通信回線に接続され相互に通信が可能となっている。あるいは、購入者端末装置１０１と販売者サーバ装置１０２、また、購入者端末装置１０１とエスクローサーバ装置１０３は、インターネットなどの公衆通信回線で接続され、販売者サーバ装置１０２とエスクローサーバ装置１０３、エスクローサーバ装置１０３と配送業者サーバ装置１０４は、それぞれ専用回線で接続されていてもよい。なお、配送業者サーバ装置を配送管理サーバ装置として参照する場合がある。【００１８】
以下に説明されるように、本発明の実施形態１においては、購入者端末装置１０１と販売者サーバ装置１０２との間で物品等（商品などの物品（不動産や動産）や役務）の売買の契約が締結される。この契約により、購入者端末１０１の利用者（買手）は物品等の代金、また送料などを支払う義務を負い、販売者サーバ装置１０２の運営者等（売手）は物品等の配送の義務を負う。この代金などを支払う義務と、物品等の配送の義務とは同時に履行されるのが望ましいが、買手と売手は現実には対面せずに通信を介して取引を行っているので、同時の履行は困難である。【００１９】
そこで、本発明の実施形態１においては、好ましくは買手と売手以外の者が、エスクローサーバ装置１０３を運営し、購入者端末装置１０１からエスクローサーバ装置１０３に代金に相当する電子マネーなど、電子的に価値が関連付けられている情報（価値情報）を送信し、買手が代金などをエスクローサーバ装置１０３に支払う形態を取る。電子マネーなどの代金などの価値を表す情報がエスクローサーバ装置１０３に受信され、代金などに相当する価値情報がエスクローサーバ装置１０３の支配下に入ると、エスクローサーバ装置１０３は、販売者サーバ装置１０２に対して、物品等の配送を行うよう指示を行う情報を送信する。【００２０】
なお、上の説明では、購入者端末装置１０１からエスクローサーバ装置１０３に代金などに相当する電子マネーなど、電子的に価値を表す情報を送信する、と説明したが、これに限定されることはない。例えば、買手がエスクローサーバ装置１０３の運営者の銀行などの口座に代金などを振り込み、代金などが振り込まれたという情報がその銀行などからエスクローサーバ装置１０３の運営者に送信されるようになっていてもよい。あるいは、買手がエスクローサーバ装置１０３にクレジットカードの番号と有効期限などの情報を送信し、クレジット会社を経て代金などの決済が行われてもよい。【００２１】
物品等の配送を行うよう指示を受信した販売者サーバ装置１０２の運営者等（売手）は、物品等に配送伝票を付して配送業者に配送を委託する。そして販売者サーバ装置１０２にその配送伝票を識別する伝票番号が入力されると、販売者サーバ装置１０２はエスクローサーバ装置１０３へその伝票番号を送信する。【００２２】
伝票番号を受信したエスクローサーバ装置１０３は、その伝票番号を用いて物品等の配送状況を配送業者サーバ装置１０４へ問い合わせを行う。その問い合わせの結果をエスクローサーバ装置１０３が受信すると、その結果に応じて購入者端末装置１０１から受信した情報により表される価値の一部又は全部を表す情報（すなわち、購入者端末装置１０１から受信した価値情報に関連付けられている価値の一部又は全部が関連付けられた価値情報）を送信する。例えば、配送業者が物品等を配送のために預かったことが問い合わせの結果として判明すれば、受信した価値情報の表す価値を分割し、配送料に相当する額を表す情報を配送業者サーバ装置１０４に送信し、配送料を支払う。なお、売手が配送料を立て替えていれば販売者サーバ装置１０２に配送料に相当する額を表す情報を送信してもよい。また、物品等の配送が完了したことが判明すれば、物品等の代金を表す情報を販売者サーバ装置１０２に送信し、売手に代金を支払う。【００２３】
以上のようにすることにより、代金が支払われない限り、物品等の配送が行われず、また、物品等が配送されない限り、売手が代金を受け取ることができないようにすることができ、同時の履行がされる場合と同じ効果を得ることができる。また、物品等を受け取った旨を物品等の配送を受けた者が通知を行わなくても配送の完了により売手には代金が支払われることになる。【００２４】
以上の説明は概要であり、実際には、販売者サーバ装置１０２と多数の購入者端末装置との間で、複数の契約が締結されるので、購入者端末装置１０１と販売者サーバ装置１０２との間で締結される契約を識別する取引番号が存在し、購入者端末装置１０１は、代金の価値を表す情報をエスクローサーバ装置１０３に送信する際には、どの契約の対価であるかを示すために、取引番号とともに代金の価値を表す情報を送信することになる。また、エスクローサーバ装置１０３が販売者サーバ装置１０２へ物品等の配送を行うよう指示を行う情報を送信するには、どの物品等の代金の価値を表す情報を受信したかを示すために取引番号を送信することになる。また、販売者サーバ装置１０２がエスクローサーバ装置１０３へ伝票番号を送信する際には、どの物品等に付した配送伝票であるかを示すために、取引番号と共に送信を行う。また、配送状況を問い合せた結果に応じてエスクローサーバ装置１０３が価値を表す情報を送信する際には、どの物品等の代金であるかを示すために、取引番号や伝票番号と共に送信を行うことになる。したがって、エスクローサーバ装置１０３は、取引番号、価値を表す情報、伝票番号を関連づけて記憶し管理することになる。例えば、取引番号、価値を表す情報、伝票番号を格納するフィールドを有するテーブルをデータベース管理システムなどにより管理する。【００２５】
上の説明では、物品等の配送を行うよう指示を受信した販売者サーバ装置１０２の運営者等（売手）は、物品等に配送伝票を付して配送業者に配送を委託する、と説明をした。しかし、本発明はこれには限定されない。例えば、プライバシーの保護の観点から、販売者サーバ装置１０２の運営者に、買手や配送先の住所、氏名、電話番号、勤務先などの属性の情報が知られないように変形することもできる。【００２６】
すなわち、購入者端末装置１０１と販売者サーバ装置１０２との間で売買の契約を締結する際には、買手の住所氏名も配送先の住所氏名などの属性の情報を明らかにしないで契約を締結する。そのかわり、購入者端末装置１０１が代金の価値を表す情報をエスクローサーバ装置１０３に送信する際に、取引番号とともに配送先の住所氏名、属性の情報など、また必要であれば、買手の住所氏名、属性の情報などを送信する。あるいは、配送先の住所氏名、属性情報などや買手の住所氏名、属性の情報などは、買手がエスクローサーバ装置１０３にログインなどする際のユーザＩＤと関連付けて、エスクローサーバ装置１０３などに登録をしておき、ユーザＩＤなどで検索を行い、登録された情報を読み出すことによって得られるようになっていてもよい。【００２７】
そして、代金などに相当する価値情報がエスクローサーバ装置１０３の支配下に入ると、エスクローサーバ装置１０３は、その旨を販売者サーバ装置１０２に対して通知する。また、この通知とともに、取引番号に係る物品などの配送の準備、例えば商品の梱包など、を行う旨の指示の情報を送信する。また、エスクローサーバ装置１０３は、配送業者サーバ装置１０４に対して、取引番号と配送先の住所氏名、属性の情報などを送信し、その配送先の住所氏名などを記入した配送伝票を作成し、売手に物品などの集荷に行く旨の指示（集荷指示）の情報を送信する。集荷指示は、販売者サーバ装置１０２から取引番号に係る物品などの配送の準備が完了した通知を受けた後に送信されるようになっているとよい。【００２８】
配送業者サーバ装置１０４を管理する配送業者は、その集荷指示などに応じて、配送伝票を記入し、取引番号ととともにその配送伝票の伝票番号をエスクローサーバ装置１０３に返信する。あるいは、売手が配送業者の集荷を受けた際に、配送伝票の伝票番号を販売者サーバ装置１０２に入力し、販売者サーバ装置１０２からエスクローサーバ装置１０３へ伝票番号を送信してもよい。あるいは、集荷指示の中に取引番号が含まれているが、配送先の住所氏名などが含まれていていなくてもよく、この場合には、（１）配送業者は配送伝票に、集荷指示に含まれる取引番号を記入して、（２）その配送業者はその配送伝票の伝票番号をエスクローサーバ装置１０３へ返信し、（３）その配送業者は売手に集荷に行き、売手がエスクローサーバ装置１０３あるいは購入者端末装置１０１から送信された配送先の住所氏名などをその配送伝票に記入された取引番号を参照して記入するようになっていてもよい。また、配送業者は複数あり得るが、エスクローサーバ装置１０３と売手とは前もってエスクロー契約を結んでいると考えられるので、その契約により、どの配送業者であるかが特定される。もちろん、購入者が、購入申込をするときに、どの配送業者を用いるかを指定して、取引番号、価値情報１１２とともに配送業者の識別情報をエスクローサーバ装置１０３に送信するようにしてもよい。【００２９】
以下では、購入者端末装置１０１と、販売者サーバ装置１０２と、エスクローサーバ装置１０３と、配送業者サーバ装置１０４の構成について説明する。【００３０】
購入者端末装置１０１は、購買処理部１０５と価値情報送信部１０６とを有している。また、購買者サーバ装置１０２は、販売処理部１０７と伝票番号送信部１０８とを有している。【００３１】
購入者端末装置１０１は、販売者サーバ装置１０２の運営者が販売等する物品等の購入を欲する利用者（買手）が操作を行う端末装置である。この端末装置としては、ブラウザやメーラなどがインストールされて動作可能なパーソナルコンピュータや携帯電話などを代表的な例として挙げることができる。販売者サーバ装置１０２としては、ウェブサーバプログラム、データベース管理プログラムなどがインストールされて動作可能なコンピュータ装置などを代表的な例として挙げることができる。【００３２】
買手は個人であってもよいし、事業者であってもよい。買手が会社などの組織である事業者である場合には、購入者端末装置１０１は、事業者が運営するサーバ装置に接続されたパーソナルコンピュータ等であり、事業者の従業員等が操作するものであってもよい。売手は事業者であってもよいし、個人であってもよい。売手が個人であるなどの理由で売手がサーバ装置を運営できない場合には、販売者サーバ装置１０２は売手により委託された業者が運営するサーバ装置であってもよい。そのサーバ装置はオークションを行う機能を有していてもよい。売手が事業者である場合であっても、売手と販売者サーバ装置１０２の運営者とが同一である必要はなく、その間に委託関係が成立していればよい。この意味で、売手と販売者サーバ装置１０２の運営者を含めて「売手側」という場合がある。【００３３】
購入者端末装置１０１の購買処理部１０５は、買手が売手側の運営する販売者サーバ装置１０２に対して物品等の購入の申し込みを行い、その申し込みに応じた返答を販売者サーバ装置１０２より受信し、購買契約の成立を確認等する部である。例えば、購買処理部１０５は、ブラウザであってもよい。この場合、買手はブラウザなどをパーソナルコンピュータなどで起動する。そして、ウェブサーフィンなどを行ったりブックマークから選択を行ったりして、販売者サーバ装置１０２に物品などの購入申し込みのためのウェブページのＵＲＬの要求を送信し、そのウェブページの記述を受信して購入者端末装置１０１に接続等されているディスプレイに申し込みのボタン等を有する画面表示がされる。買手が物品等の配送先などを入力し、そのボタン等を押下等すると、購入申込情報１０９が販売者サーバ装置１０２へ送信される。購入申込情報１０９には、物品等の識別番号、数量、配送先等が含まれ得る。取引が売手により承認されると、販売者サーバ装置１０２より取引を識別する取引番号や利用者が支払うべき金額等の情報１１０が返信され、ディスプレイに表示等がされて、取引契約の成立が確認できる。【００３４】
一方、以上の処理を販売者サーバ装置１０２の側から説明を行うと次のようになる。販売者サーバ装置１０２の販売処理部１０７は、購入者端末１０１から送信された購入申し込みのためのウェブページのＵＲＬ等を含む要求を受信すると、そのＵＲＬで指定されるウェブページの記述を返信する。購入者端末１０１から購入申込情報１０９を受信すると、取引番号の採番、取引金額の計算を行い、データベースに取引の記録として取引番号をキーとして物品等の識別番号、数量、金額、配送先等などを記録し、取引番号や金額などの情報１１０を返信する。【００３５】
また、次に説明するように、取引番号等が購入者端末装置１０１を介してエスクローサーバ装置１０３へ送信され、エスクローサーバ装置１０３から取引番号が返信されて来れば、その取引番号によって上記データベースを検索し、売手の従業員等の端末装置（従業員端末）に物品等１１３の配送を行うためにその物品等１１３に配送用の配送伝票１１４の貼付等を命令する情報を伝達する。従業員端末に表示された情報を視認した売手の従業員等が配送伝票１１４を物品１１３に貼付し配送業者等に配送等を依頼し、従業員端末のバーコードリーダーなどを用いて配送伝票１１４に記載された伝票番号が販売者サーバ装置１０２に入力等されると、その入力された伝票番号１１５を伝票番号送信部１０８へ出力する。【００３６】
なお、購入者端末装置１０１の購買処理部１０５から販売者サーバ装置１０２へ、配送先の情報が送信されることは必須ではない。先述したように、エスクローサーバ装置１０３から配送業者サーバ装置１０４へ、取引番号とともにその配送先の情報が転送され、配送業者側にて、その取引番号と配送先とが記入された配送伝票を作成する場合もある。この場合には、売手の従業員等の端末装置には、物品等の１１３の配送を行うための梱包などの配送の準備を命令する情報が伝達される。その梱包になどには取引番号が添付される。そして、配送業者が配送伝票を持参して、売手側の施設などへ集荷に行った際に、配送伝票に記入された取引番号を有する梱包などに配送伝票が貼付される。そして、配送伝票の伝票番号は、配送業者サーバ装置１０４からエスクローサーバ装置１０３へ送信されてもよいし、配送業者が売手へ集荷に行った際に、集荷が行われたことをデータベースなどに記録するために、そのデータベースなどに配送伝票の伝票番号が入力されたときに、販売業者サーバ装置１０２から、エスクローサーバ装置１０３へ取引番号とともに送信されてもよい。【００３７】
一方、購入者端末装置１０１の購買処理部１０５が取引番号や利用者が支払うべき金額等の情報１１０を受信し、価値情報送信部１０６へ取引番号や金額等の情報１１１を出力すると、価値情報送信部１０６は、利用者が支払うべき金額に相当する価値を電子マネーなどによって表す情報である価値情報を取得し、取引番号等とともに情報１１２としてエスクローサーバ装置１０３へ送信する。価値情報送信部１０６は購入者端末１０１で動作する例えばブラウザやメーラにより実現される。このブラウザやメーラ等により購入者端末装置１０１からエスクローサーバ装置１０３へ送信された取引番号は、上述したようにエスクローサーバ装置１０３を介して販売者サーバ装置１０２へ返信されることになる。  【００３８】
なお、価値情報は、例えば、銀行等の金融業者の運営するサーバ装置や電子マネーの運営者が運営する電子マネーサーバ装置などによって価値と関連付けられている情報である。例えば、買手が銀行振込やクレジットカード決済によって所定の金額を電子マネーの運営者に支払い、その返信として受け取られる情報である。情報は、金融業者や電子マネーの運営者などにより暗号化され、不正作出や変造が検出されるようになっていてもよい。あるいは、価値が電子マネーの運営者により関連付けられている乱数であり、次に生成される乱数が他者に予想できないようになっていてもよい。【００３９】
また、価値情報は、エスクローサーバ装置１０３の運営者の有する銀行などの口座へ振り込みが行われたことを示す情報であってもよい。また、その情報は、購入者端末装置１０１から直接エスクローサーバ装置１０３へ送信されるのではなく、その口座を管理する銀行などからエスクローサーバ装置１０３へ送信されるようになっていてもよい。【００４０】
販売者サーバ装置の伝票番号送信部１０８は、販売処理部１０７より伝票番号１１５を取得すると、その伝票番号の配送伝票１１４が貼付等された物品等１１３の取引番号を上記データベースの検索により求めて、その取引番号と伝票番号とを含む情報１２４をエスクローサーバ装置１０３へ送信する。ただし、上述したように、伝票番号は、販売者サーバ装置１０２から送信されず、配送業者サーバ装置１０４から送信される場合もある。【００４１】
エスクローサーバ装置１０３の構成について説明する。エスクローサーバ装置１０３は、価値情報受信部１１６と、価値情報受信通知部１１７と、伝票番号受信部１１８と、配送状況問合部１１９と、配送状況受信部１２０と、価値情報送信部１２１とを有する。【００４２】
価値情報受信部１１６は、価値情報を受信する。ここでいう価値情報は、物品等１１３の買手側が支払う代金などに相当する金銭価値が関連付けられた価値情報である。物品等１１３が第三者に対するプレゼント等である場合には、物品等１１３の配送先と買手とが異なる場合があり、物品等１１３の配送を受ける者と物品等１１３の代金を支払う者とが異なる場合がある。そのような場合があるので、「受手」、「買手」と言わずに「買手側」ということにする。また、上述したように物品等１１３には配送伝票１１４が付されており、配送伝票１１４は伝票番号で識別される。そして、配送業者は売手側から物品等１１３を配送する。価値情報受信部１１６は価値情報のみを受信することに限定されず、他の情報を受信してもよい。図１では、購入者端末装置１０１より送信された価値情報とともに取引番号を含む情報１１２を受信している。ここでいう取引番号は買手側と売手側との物品等１１３の購入の契約を識別する情報である。【００４３】
図１では、価値情報受信部１１６は、受信した情報１１２から取引番号と価値情報とを抽出し、抽出された取引番号と価値情報とをそれぞれ取引番号１１２、価値情報１２８として、価値情報受信通知部１１７と価値情報送信部１２８にそれぞれ出力する。このような処理を行うために、価値情報受信部１１６は、受信した情報１１２を第１のメモリ領域に書き出して、情報１１２を解析して取引番号と価値情報とを含む情報であるかどうかを判断し、取引情報と価値情報とを分離して、取引情報を第２のメモリ領域に書き出し、価値情報を第３のメモリ領域に書き出すなどして、取引情報と価値情報とが保持されているメモリ領域のアドレスを得て、それぞれのアドレスを価値情報受信通知部１１７と価値情報送信部１２８に出力する。具体的には、価値情報受信通知部１１７と価値情報送信部１２８とを実現するプログラムのインターフェース関数にアドレスを渡す等する。【００４４】
また、価値情報受信部１１６は、取引番号１２２を用いて、販売者サーバ装置１０２に買手が支払う代金の額を問い合わせ、また、価値情報１２８を用いて、電子マネーサーバ装置に価値情報に関連付けられている金銭価値の問い合わせなどを行い、その金銭価値が代金の額と等しいかどうかのチェックを行ってもよい。あるいは、金銭価値が代金などの額にエスクローサーバ装置１０３の利用料を加えた額になっているかどうかのチェックを行ってもよい。もちろん、取引番号１２２、価値情報１２８に代金の情報、金銭価値の情報が含まれており、改ざんや変造が検出できる場合には、販売者サーバ装置１０２、電子マネーサーバ装置などに問い合わせを行う必要はなく、価値情報の改ざんや変造がないことを確認してから金銭価値の情報を抽出して代金と比較すればよい。【００４５】
価値情報受信通知部１１７は、価値情報受信部１１６が価値情報を受信した旨を送信する。図１では、価値情報受信通知部１１７は、価値情報受信部１１６から出力された取引番号１２２を取引番号１２３として、販売者サーバ装置１０２へ向けて送信を行う。【００４６】
このように価値情報受信部１１７が受信して抽出した取引番号を販売者サーバ装置１０２へ送信することにより、販売者サーバ装置１０２は、物品等の１１３の対価等の金銭価値に相当する価値情報を買手側が支払ったことを検出することができる。そこで、販売者サーバ装置１０２は、物品等１１３に貼付された配送伝票の伝票番号がデータベースに格納されると、その伝票番号をエスクローサーバ装置１０３へ返信する。あるいは、前もって物品等１１３に貼付する配送伝票が用意されており、その配送伝票の伝票番号がデータベースに格納されていれば、エスクローサーバ装置１０３から送信された取引番号を受信すると、取引番号を用いてデータベースを検索して、物品等１１３に付された配送伝票の伝票番号を得て、それをエスクローサーバ装置１０３へ返信する。返信されるのは伝票番号に限られることはなく、他の情報を含んでいてもよい。図１では、どの契約により配送される物品１１３の配送伝票の伝票番号かを示すために、伝票番号に加えて取引番号を含む情報１２４が返信されている。【００４７】
伝票番号受信部１１８は、価値情報受信通知部による情報１２３の送信に応じて返信される伝票番号を受信する。すなわち、ここでいう伝票番号は、価値情報受信通知部１１７が物品１１３の代金が関連付けられた価値情報を受信した旨を送信したときに、その返信として販売者サーバ装置１０２から送信される伝票番号である。すなわち、図１では、物品等１１３に付された配送伝票１１４を識別する伝票番号である。【００４８】
また、伝票番号受信部１１８が受信するのは伝票番号に限られることはない。図１では、伝票番号受信部１１８は、伝票番号に加えて取引番号を含む情報１２４を受信している。このように取引番号を含む情報を受信することにより、どの取引番号の契約により配送される物品等に付された配送伝票の伝票番号であるかを知ることができ、エスクローサーバ装置１０３の内部で、取引番号１２２に価値情報１２８を関連付けてデータベースなどに格納することにより、後に説明するように、物品等１１３の配送状況に応じて価値情報を送信することが可能となる。【００４９】
なお、上述したように、販売者サーバ装置１０２が伝票番号をエスクローサーバ装置１０３へ返信する代わりに、エスクローサーバ装置１０３が配送業者サーバ装置１０４から伝票番号を受信する場合もある。【００５０】
図１では、伝票番号受信部１１８は、伝票番号に加えて取引番号を含む情報１２４を受信する場合の例が示されている。伝票番号受信部１１８は、情報１２４を受信すると、伝票番号を抽出して伝票番号１２５として配送状況問合部１１９に出力している。具体的には、受信した情報１２４を第４のメモリ領域に書き出して、情報１２４から取引番号と伝票番号とを抽出して、それぞれを第５、第６のメモリ領域に書き出すなどし、第５、第６のメモリ領域のアドレスを、配送状況問合部１１９を実現するモジュールのインターフェース関数に渡す等して、配送状況問合部１１９を起動する。また、伝票番号受信部１１８は、取引番号１２２に価値情報１２８を関連付けているデータベースに、さらに取引番号１２２と伝票番号１２５とを関連付けるように格納してもよい。データベースに格納することにより、定期的あるいは不定期的にデータベースをスキャンして伝票番号を読み出して配送状況の問い合わせを行うことができる。【００５１】
配送状況問合部１１９は、伝票番号１２５を送信し物品等１１３の配送状況を問い合せる。具体的には、配送業者サーバ装置１０４のアドレスを特定して、そのアドレスに対して伝票番号１２５を含む問合１２６を配送業者サーバ装置へ送信し、物品１１３の配送状況を問い合せる。配送業者サーバ装置１０４のアドレスは、例えば、伝票番号１２５の形式から配送業者を特定し、配送業者と配送業者サーバ装置とのＩＰアドレスとを対応付けているテーブルなどを参照して特定する。【００５２】
配送状況問合部１１９による問い合せは１回だけ行われるようになっていてもよいし、所定の時間間隔を置くなどして複数回行われてもよい。例えば、配送業者サーバ装置１０４の仕様により、物品等の配送が完了したことを電子メールなどにより通知するようになっていれば、伝票番号１２５にエスクローサーバ装置１０３に割り当てられた電子メールアドレスを含ませた問い合せを１回行う。また、配送業者サーバ装置１０４の仕様が、問い合せが行われる都度、物品等の現在の配送状況を返信する仕様であれば、配送が完了するまで問い合せを１回以上の複数回行う。例えば、売手と買手との住所が郵便番号などによって判明するのであれば、売手と買手との位置関係から配送に要する日数を求めて、伝票番号１２５がエスクローサーバ装置１０３により受信した日からその日数を経過した時に問い合せを行い、配送が終わっていなければ、以後、１日に１回から数回問い合せを行う。これにより無駄な問い合わせを減らすことができる。【００５３】
配送状況受信部１２０は、配送状況問合部１１９による問い合わせの結果を受信する。具体的には、問合１２６により問い合わされた物品１１３の配送状況を示す情報１２７を受信する。この配送状況を示す情報１２７には、伝票番号が含まれているとすると、配送状況受信部１２０は、上述の取引番号１２２に価値情報１２８を関連付け、さらに取引番号１２２と伝票番号１２５とを関連付けて格納し手いるデータベースを検索することにより、どの取引番号の取引に係る物品の配送状況が受信されたかを知ることができる。そこで、次に説明するように、価値情報送信部が配送状況に応じて価値情報を送信するようにすることができる。【００５４】
価値情報送信部１２１は、配送状況受信部１２０が受信した配送状況１２７の示す結果に応じて、価値情報１２８に関連付けられている価値の全て又は一部が関連付けられた価値情報を送信する。【００５５】
例えば、配送状況を示す情報１２７により、物品１１３が配送業者により受領されたことが示されていれば、その配送業者による配送料に相当する価値が関連付けられた価値情報を送信する。この場合の価値情報１２９の送信先は、配送業者のサーバ装置（例えば、配送業者サーバ装置１０４）であり、あるいは、売手側が配送料を立て替えて支払っていれば、売手側のサーバ装置（例えば、販売者サーバ装置１０２）となる。配送業者のサーバ装置に送信するか、売手側のサーバ装置に送信するかは、売手側とエスクローサーバ装置１０３の運営者との契約で定まったり、売手側と買手側との間の購入の契約で定まり、その情報が取引番号などに含められた状態で購入者端末装置１０１から送信されたりする。また、物品１１３の配送が完了したことが配送状況を示す情報１２７が示せば、売手側が受ける価値が受けるべき価値が関連付けられた価値情報１２９が販売者サーバ装置１０２へ送信される。【００５６】
また、販売者サーバ装置１０２の運営者が、実際に商品など在庫管理を行わず、問屋などの第３者に在庫管理、商品などの発送を委託している場合には、価値情報の表す価値を、その第３者と販売者サーバ装置１０２の運営者とに適宜分割して価値情報を生成し、それぞれに価値情報を送信するようになっていてもよい。これにより、販売者サーバ装置１０２の運営者は、在庫を持たずに、アフィリエイトなどにより広告宣伝活動に専念をすることができ、また、エスクローサーバ装置１０３から送信された価値情報の表す価値の中から、問屋などの第３者に支払うという煩わしさから解放される。また、問屋も、販売者サーバ装置１０２の運営者からの支払いの滞りを心配する必要がなくなる。【００５７】
次に、配送業者サーバ装置１０４の構成について説明する。配送業者サーバ装置１０４は、配送状況問合処理部１３０と配送状況管理部１３１とを有する。【００５８】
配送状況問合処理部１３０は、エスクローサーバ装置１０３の配送状況問合部１１９による問い合わせを受信すると、その問い合わせを配送状況管理部１３１が管理するデータベースなどを参照して処理して、返信を行う。例えば、配送業者がまだ物品等１１３を受領していない、物品等１１３を受領した、物品等１１３を配送している最中である、物品等１１３の配送を完了した、配送先が留守であり持ち帰っている等を示す情報を配送状況として返答する。【００５９】
配送状況管理部１３１は、物品等１１３の配送を行う配送員等が所持している端末等や配送業者の施設に備えられたセンサーなどから送信される配送状況を示す情報を伝票番号とともに受信して、配送状況管理部１３１が管理するデータベースを随時更新する。伝票番号は、端末等のバーコードリーダーを用いて読み取られる。あるいは、ＲＦＩＤタグが配送伝票に備えられ、ＲＦＩＤタグにより送信される伝票番号が読み取られるようになっていてもよい。たとえば、配送員などが売手側の施設などに赴き、配送伝票の付された物品を受け取り、配送伝票のバーコードやＲＦＩＤの読取りにより取得された伝票番号を配送状況管理部１３１が受信すると、配送状況を「未発送」から「配送中」に変更する。また、配送員などが配送伝票の付された物品を配送先に届けた場合、配送伝票のバーコードやＲＦＩＤの読取りにより取得された伝票番号を配送状況管理部１３１が受信すると、配送状況を「配送完了」とする。【００６０】
図２は、以上説明した商取引システム１００における処理の流れを説明するシーケンス図の一例である。ステップＳ２０１において、購入者端末装置１０１から販売者サーバ装置１０２に向けて購入申込１０９が送信されている。この送信に対して、ステップＳ２０２において、販売者サーバ装置１０２から購入者端末装置１０２に向けて、取引番号、利用者が支払うべき金額等の情報１１０が送信されている。【００６１】
購入者端末装置１０２の利用者（買手）は、買手側が支払うべき金額の価値が関連付けられた価値情報を電子マネーの運営者等から入手し、ステップＳ２０３において、取引番号とその価値情報を含む情報１１２をエスクローサーバ装置１０３へ送信している。エスクローサーバ装置１０３では、取引番号を抽出して、価値情報を受信した旨として取引番号１２３をステップＳ２０４において販売者サーバ装置１０２へ送信している。【００６２】
ステップＳ２０４において、販売者サーバ装置１０２がエスクローサーバ装置１０３から価値情報を受信した旨を受信すると、売手側では、配送伝票１１４に配送先などを記入し、物品等１１３に付すなどして発送の準備が行われ、伝票番号が販売者サーバ装置１０２に入力される。そしてステップＳ２０５において、配送伝票１１４を識別する伝票番号とともに取引番号を含む情報１２４がエスクローサーバ装置１０３へ向けて送信されている。【００６３】
なお、ステップＳ２０４とステップＳ２０５の処理には種々の変形がある。例えば、ステップＳ２０４において、エスクローサーバ装置１０３が、販売者サーバ装置１０２へ取引番号を送信するとともに、配送業者サーバ装置１０４へも取引番号を送信してもよい。このとき、配送業者サーバ装置１０４へは取引番号に加えて、取引の対象となる物品等の配送先の情報もエスクローサーバ装置１０３から送信される。そして、配送業者サーバ装置１０４が取引番号と配送先の情報を受信し、配送業者は配送伝票に配送先の住所氏名を記入し、ステップＳ２０５として、その配送伝票の伝票番号をエスクローサーバ装置１０３へ返信する。あるいは、配送業者が売手側へ集荷に行ったときに伝票番号を売手側に伝達し、売手側が販売者サーバ装置１０２のデータベースなどに入力したときに、その伝票番号が取引番号とともに販売者サーバ装置１０２からエスクローサーバ装置１０３へ送信されてもよい。【００６４】
エスクローサーバ装置１０３は、ステップＳ２０５で受信した伝票番号を用いて、配送業者サーバ装置１０４に対してステップＳ２０６、Ｓ２０７、Ｓ２０８、Ｓ２０９として示されるように任意の回数の問い合わせを行い、その都度、配送状況を受信している。上述のように、一回問い合わせを行い、エスクローサーバ装置１０３に割り当てられたメールアドレスを配送業者サーバ装置１０４に設定して、配送が完了したり、配送状況が変化したり都度配送状況を受信するようになっていてもよい。【００６５】
もし、ステップＳ２０９でエスクローサーバ装置２０９が受信する配送状況ｎが配送完了を示すものであれば、ステップＳ２１０において、価値情報を販売者サーバ装置２１０へ送信している。この価値情報は、ステップＳ２０３で受信された価値情報そのものでもあってもよい。あるいは、エスクローサーバ装置２０９の利用料を控除した金銭価値が関連付けられた価値情報であってもよい。また、配送業者による配送が開始されたことが配送状況ｉとして示されていれば、その配送状況ｉが受信された時に、配送料に相当する金銭価値が関連付けられた価値情報が送信されるようになっていてもよい。このため、価値情報が表す金銭価値を分割して分割された金銭価値に新たな価値情報を関連づけ、一方の価値情報をエスクローサーバ装置のデータベースなどに記憶し、他方の価値情報を送信することが行われてもよい。【００６６】
図３は、購入者端末装置１０１のハードウェア構成を示す機能ブロック図である。購入者端末装置３００は、ＣＰＵ（Ｃｅｎｔｒａｌ  Ｐｒｏｃｅｓｓｉｎｇ  Ｕｎｉｔ）３０１，ＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３、ＨＤＤ（Ｈａｒｄ  Ｄｉｓｋ  Ｄｒｉｖｅ）３０４，通信Ｉ／Ｆ３０５、入出力Ｉ／Ｆ３０６が相互にバスを介して接続された構成となっている。電源が投入されると、ＣＰＵ３０１は、ＲＯＭ３０２に格納されたモニタプログラムなどを、ＲＡＭ３０３を作業メモリとして用いて起動して購入者端末装置３００をブートし、ＨＤＤ３０４に格納されたオペレーティングシステムが起動される。そして、入出力Ｉ／Ｆ３０６に接続されたキーボードなどを介した指示によりＨＤＤ３０４などに格納されたプログラムがＲＡＭ３０３をＲＡＭ３０３やＨＤＤ３０４を作業メモリとして用いて動作する。例えば、ブラウザが動作すれば、通信Ｉ／Ｆ３０５を介してＷＥＢサーバと通信が行われる。なお、図３に示す構成は、購入者端末装置の構成に限らず、販売者サーバ装置、エスクローサーバ装置、配送業者サーバ装置の構成とすることができ、ＣＰＵ、ＲＯＭ、ＲＡＭ、入出力Ｉ／Ｆ、通信Ｉ／Ｆ、バスの仕様が適宜選択されて構成される。【００６７】
図４は、購入者端末装置１０１に接続等されているディスプレイの表示の一例を示す。図４（Ａ）は、ＬＭＮ商店という売手側に対してＡＢＣ１２３という物品１個の購入の申し込みのためのウェブページの表示例を示す。申込品名ＡＢＣ１２３、申込数量１、送料６００円、支払合計２１００円はウェブページの記述に含まれており、配送先の住所氏名は、は買手がキーボードやマウスなどを用いて入力したデータである。配送先の住所氏名の入力が終わり、「申込」のボタンを押下すると、購入申込情報１０９が送信される。【００６８】
図４（Ｂ）は、購入申込情報１０９に対応して販売者サーバ装置１０２より返信される取引番号や支払うべき金額等の情報１１０が購入者端末装置１０１に受信された後にディスプレイに表示される例を示す。この例では、取引番号として９８７６５４が表示されている。また、「次へ」という文字列を有するボタンが表示されている。このボタンを押下すると、購入者端末装置１０１からエスクローサーバ装置１０３へ、価値情報を送信するためのウェブページに切り替わる。例えば、「次へ」のボタンが押下されると、販売者サーバ装置やエスクローサーバ装置１０３へ価値情報を送信するためのウェブページの要求が送信される。【００６９】
図４（Ｃ）は、価値情報を送信するためのウェブページの表示の一例を示す。支払先ＬＭＮ商店、取引番号９８７６５４、代金２１００円はウェブページの記述に含まれており、買手は支払情報の入力欄に例えばテキスト情報として価値情報を入力する。入力が終わると、「送信」のボタンが押下され、エスクローサーバ装置１０３へ取引番号、価値情報を含む情報１１２が送信される。【００７０】
価値情報はテキスト情報として入力欄に入力される以外の形態としては、価値情報が購入者端末装置１０１のＨＤＤ等に格納されているファイルとして格納されている場合に、そのファイルのパスを入力し、「送信」のボタンが押下されるとそのファイルに格納されている価値情報がエスクローサーバ装置１０３へアップロードされるようになっていてもよい。【００７１】
また、「送信」のボタンが押下されると購入者端末装置１０１に入出力Ｉ／Ｆ３０６を介して接続されたカードリーダなどによりＩＣカードに格納されている価値情報が読み取られてエスクローサーバ装置１０３へ送信されるようになっていてもよい。【００７２】
図５は、エスクローサーバ装置１０３が管理するデータベースの構造の一例とその変更の過程の一例とを示す。エスクローサーバ装置１０３が管理するデータベースは、販売者、取引番号、価値情報、伝票番号、配送状況という名前のフィールドを有している。【００７３】
図５（Ａ）は、購入者端末装置１０１に図４（Ｃ）が表示され支払情報の欄に価値情報が入力され「送信」のボタン押下がされて送信された情報をエスクローサーバ装置１０３の価値情報受信部１１６が受信してデータベースの変更が行われた状態を示す。図４において取引番号は９８７６５４であったが、販売者サーバ装置が複数存在する場合に対応できるように、購入者端末装置１０１からエスクローサーバ装置１０３へ送信する取引番号には、９８７６５４に販売者（売手）の識別情報（この場合には、"ＬＭＮ"）を付加して送信し、エスクローサーバ装置１０３で販売者の識別情報とその販売者における取引番号とに分離してデータベースに挿入を行う。このとき、価値情報のフィールドには受信された価値情報をセットする。その他のフィールドである伝票番号、配送状況は、それぞれ例えば、ＮＵＬＬ、"未配送"とする。これにより、伝票番号はまだ決定されておらず、また配送は開始されていないことが表現される。【００７４】
図５（Ｂ）は、購入者端末装置１０１から価値情報が受信された旨を価値情報受信通知部１１７により送信された後に、販売者サーバ装置１０２から伝票番号が返信され、データベースの変更が行われた状態を示す。価値情報が受信された旨が販売者サーバ装置１０２に送信されると、物品に付された配送伝票を識別する伝票番号が返信される。このとき、どの取引に係る物品であるかを区別するために取引番号も返信されるとすると、この取引番号を用いて（必要に応じて販売者の識別情報も用いて）データベースを検索し、その取引番号のレコードを得る。そして、伝票番号のフィールドに返信されて伝票番号をセットしデータベースの更新を行う。【００７５】
すなわち、図５（Ｂ）は、販売者の識別情報がＬＭＮであり、その販売者での取引番号が９８７６５４である取引に係る物品に付された配送伝票を識別する伝票番号としてＺＸＹ−０１０１０が返信されたことにより、データベースが更新された後の状態を示している。【００７６】
その後、配送状況問合部１１９により、ＺＸＹ−０１０１０の伝票番号で識別される配送伝票が付された物品の配送状況が問い合わされ、その結果、配送中であるという結果が得られると、ＺＸＹ−０１０１０を伝票番号のフィールドの値として持つレコードが検索され、図５（Ｃ）に示されるように、配送状況のフィールドの値を"配送中"に更新される。この時点で必要があれば、価値情報のフィールドに格納された価値情報が表す価値のうちの一部として配送料に相当する価値が関連付けられた価値情報を送信する。【００７７】
そして、その後の配送状況の問い合わせにより、ＺＸＹ−０１０１０の伝票番号で識別される配送伝票が付された物品の配送が完了したことが判明すると、図５（Ｄ）に示されるように、配送状況のフィールドの値を"配送完了"となるように更新する。そして、価値情報のフィールドに格納された価値情報が表す価値のうち、売手側が受け取るべき代金に相当する価値が関連付けられた価値情報を送信する。【００７８】
図６、図７、図８はエスクローサーバ装置１０３で行われる処理の流れを説明するフローチャートを示している。【００７９】
図６（Ａ）、（Ｂ）は、価値情報受信部１１６と価値情報受信通知部１１７による処理の流れを説明している。購入者端末装置１０１から送信された価値情報等が受信可能となると、ステップＳ６０１の処理が実行され、購入者端末装置１０１より取引番号、価値情報等を受信する。そして、ステップＳ６０２として、データベースの新たなレコードの取引番号と価値情報等のフィールドの値をセットしてそのデータベースに挿入して格納する。その後、ステップＳ６０３として、ステップＳ６０２において新たにデータベースに格納されたレコードの取引番号等を取得し、販売者サーバ装置１０２へ取引番号等を通知することにより、価値情報を受信した旨を送信する。【００８０】
図７（Ａ）、（Ｂ）は、伝票番号受信部１１８と配送状況問合部１１９による処理の流れを説明している。ステップＳ７０１の処理として、伝票番号受信部１１８により、販売者サーバ装置１０２より送信された取引番号、伝票番号等を受信する。そして、ステップＳ７０２の処理として、受信した取引番号等の値を用いてデータベースを検索し、ステップＳ７０３の処理として、検索により得られたレコードに、受信により得られた伝票番号をセットして、データベースを更新する。以上の処理により、物品の配送状況の問い合わせが可能となるので、ステップＳ７０４の処理として、受信された伝票番号を配送状況問合部１１９により配送業者サーバ装置１０４へ送信して、配送状況を問い合せる。【００８１】
図８は、配送状況受信部１２０と価値情報送信部１２１による処理の流れを説明している。ステップＳ８０１の処理として、配送状況受信部１２０により配送状況の問い合わせの結果を受信する。そして、ステップＳ８０２の処理として、データベースを伝票番号などで検索してレコードを得て、配送状況のフィールドの値を更新する。ステップＳ８０３の処理として、配送が完了したかどうかを判断する。もし、配送が完了していれば、ステップＳ８０４へ処理を移行させ、Ｓ８０２において更新されたレコードの価値情報のフィールドに格納されている価値情報に関連付けられている価値の一部又は全部を送信する。【００８２】
以上の説明したような商取引システムにより、買手側が商品などの物品等を受領した旨を通知する必要が無くなり、また、売手や配送業者は配送状況に応じた支払いを受け取ることができ、買手の利便性が向上し、売手なども代金が全く支払われないという不利益を蒙ることがなくなる。【００８３】
（実施形態２）
実施形態１においては、価値情報が購入者端末装置１０１からエスクローサーバ装置１０３へ送信されるが、価値情報はビット列などとして表現されるので、複製を容易に行うことができる。このため、購入者端末装置１０１が例えば複数のエスクローサーバ装置に対して複製した価値情報をほぼ同時に送信することにより、多重使用するなどして、不正に使用される可能性がある。本実施形態では、多重使用を防止する技術について説明する。【００８４】
図９（Ａ）は、本発明の実施形態２で用いられる価値情報を管理する装置の機能ブロック図を示し、図９（Ｂ）は、価値情報の発行要求を得てから価値情報を生成し送信する処理の流れを説明するフローチャートを示す。図９（Ｂ）の処理は、例えば、購入者端末装置１０１の利用者（買手）がエスクローサーバ装置１０３へ送信するため等に用いる価値情報を発行する際の処理である。【００８５】
価値情報を管理する装置は、価値管理データベース装置９０１と価値情報発行サーバ装置９０２と後に説明する価値管理サーバ装置１００１とを有する。【００８６】
価値管理データベース装置９０１は、価値と価値情報とを対応付けるテーブル９０３を管理するデータベース部を有する。価値は例えば、貨幣価値である金銭価値として表されており、図９では円の単位で表現されている。また、価値情報は、図９では照合用情報を含む情報として表されている。照合用情報とは、価値情報の発行要求があったときなどに価値と関連づけるためにテーブル９０１に格納される情報である。照合用情報は、例えば、乱数として生成される情報である。この乱数は、同じ値が複数回生成されない性質を有するのが好ましい。【００８７】
価値情報発行サーバ装置９０２は、価値情報発行要求受付部９０４と、価値情報生成発行部９０５と、価値情報返信部９０６とを有している。【００８８】
価値情報発行要求受付部９０４は、価値情報の発行要求を受け付ける。例えば、購入者端末装置１０１より、１１２００円に相当する価値を表す価値情報の発行要求を表す情報をインターネットなどの通信回線を介して受信する。そして価値情報発行要求受付部９０４は、発行される価値情報が表すべき価値である１１２００円を表す情報を、例えば、価値情報生成発行部９０５が参照可能な第１のメモリ領域に格納し、価値情報生成発行部９０５を起動する。【００８９】
なお、この１１２００円は、購入者端末装置１０１の利用者により銀行などの金融機関を介して価値情報を管理する装置の運営者の口座に振り込まれたり、クレジット決済により、価値情報を管理する装置の運営者に譲渡されていたりされている。価値情報の発行要求には、口座への振り込みやクレジット決済が行われたことを示す情報が含まれており、価値情報発行要求受付部９０４は、その情報を参照して、振り込みやクレジット決済が確かに行われたことを確認してから価値情報生成発行部９０５を起動するようになっていてもよい。【００９０】
価値情報生成発行部９０５は、照合用情報を生成し、第１のメモリ領域に格納された価値を表す情報と照合用情報とを、データベース部のテーブル９０３に挿入する。照合用情報は、例えば、予め準備されている乱数であったり、価値情報生成発行部９０５が起動される都度、生成される乱数であったりする。また、価値情報生成発行部９０５は、テーブル９０３に挿入された価値を表す情報と生成された照合用情報とを、価値情報返信部９０６が参照可能な第２のメモリ領域に格納し、価値情報返信部９０６を起動する。【００９１】
図９（Ａ）においては、１１２００円という価値を表す情報と、Ｖ１２３４５という照合用情報とがテーブル９０３に挿入され、第２のメモリ領域に格納される。【００９２】
価値情報返信部９０６は、価値情報を返信する。例えば、第２のメモリ領域から照合用情報を読み取り、その照合用情報から価値情報を生成し、それを価値情報の発行要求を送信した端末装置などに返信する。あるいは、価値情報の発行要求に価値情報の送信先が指定されていれば、その送信先に価値情報を送信する。価値情報は、照合用情報のみから成っていてもよいし、価値を表す情報など他の情報を含んでいてもよい。図９（Ａ）では、Ｖ１２３４５という照合用情報に加えて１１２００円が関連付けられたことを示す情報が付加されている。また、価値情報が価値情報発行サーバ装置９０２により生成されたことを確認できるように、照合用情報などの価値情報発行サーバ装置９０２の秘密鍵を用いて生成される署名データを含んでいてもよい。【００９３】
図９（Ｂ）は、価値情報発行サーバ装置９０２の処理の流れを説明するフローチャートの一例である。ステップＳ９５１として、価値情報発行要求受付部９０４により、価値情報の発行要求を受信する。この発行要求には、価値情報が表すことになる価値を示す情報が含まれている。上記の例では１１２００円を表す情報である。【００９４】
ステップＳ９５２として、価値情報生成発行部９０５により、照合用情報を生成する。照合用情報は、上述したように、予め準備されているものを取り出してもよい。【００９５】
ステップＳ９５３として、価値を示す情報と照合用情報をデータベース部が管理するテーブル９０３に挿入して登録する。【００９６】
ステップＳ９５４として、価値データと照合用情報とを価値情報として返信する。なお、価値情報に価値データが含まれることは必須ではないが、価値情報を取得した者が価値管理データベース装置９０１に問い合せることなく、価値情報が表すことになる価値を知るために便利である。【００９７】
また、価値情報には、データベース部のテーブル９０３の列の番号など、価値管理データベース装置９０１において照合用情報が格納されている場所を特定するための情報が含まれていてもよい。このような情報を含ませることにより、個々の照合用情報を個々に異なる暗号鍵で暗号化してテーブル９０３に格納し、その暗号鍵による暗号の復号のための復号鍵を価値情報とともに返信するようにすることができる。このように個々の照合用情報を個々に異なる暗号鍵で暗号化することにより、テーブル９０３の内容が外部に漏洩したとしても照合用情報が異なる暗号鍵で暗号化されているので、漏洩した内容から正しい価値情報を生成することは困難となり安全性が高まる。【００９８】
図１０は、エスクローサーバ装置１００２が価値管理サーバ装置１００１を介して購入者端末装置１０１より取引番号と価値情報を受信する構成を示している。価値管理サーバ装置１００１は、価値管理データベース装置９０１と通信が可能なサーバ装置であって、受信部１００３と、判断部１００４と、送信部１００５とを有する。【００９９】
受信部１００３は、価値情報を含む情報を受信する。例えば、価値情報が購入者端末装置１０１から送信されるものである場合には、取引番号とともに受信されるようになっていてもよい。受信部１００３は、受信された情報から価値情報を分離して、判断部１００４、送信部１００５が参照可能なメモリ領域に格納する。【０１００】
判断部１００４は、受信部１００３で受信された価値情報に含まれる照合用情報が有効であるかどうかを判断する。この判断のためには、価値情報をメモリ領域から読み出し、照合用情報を抽出し、価値管理データベース装置９０１に対して、その照合用情報がテーブル９０３に格納されているかどうかを問い合せる。問い合わせの結果、テーブル９０３に照合用情報が格納されているという結果が得られれば、照合用情報は有効であると判断される。【０１０１】
上述したように、もし、価値情報に照合用情報が格納されている場所を特定するための情報が含まれ、テーブル９０３に格納されている照合用情報の暗号化を復号するための復号鍵とともに価値情報発行サーバ装置から返信された場合には、その場所を特定するための情報とその復号鍵を照合用情報とともに価値管理データベース装置９０１に送信する。価値管理データベース装置９０１は、その場所を特定するための情報から暗号化された照合用情報を読み出し、復号鍵を用いて復号化して、価値管理サーバ装置１００１からの問い合わせに含まれる照合用情報と一致するかどうかを判断し、その結果を、価値管理サーバ装置１００１に返信することになる。【０１０２】
また、もし、価値情報に署名が含まれていれば、価値管理データベース装置９０１への問い合わせに代えて、あるいはさらに加えて、署名のチェックを行い、照合用情報が有効であるかを価値管理サーバ装置にて判断してもよい。【０１０３】
送信部１００５は、判断部１００４による判断の結果が、照合用情報が有効である、との結果であれば、その照合用情報を無効にし、新たな有効な照合用情報を準備し、価値情報に含まれる照合用情報を準備した照合用情報に置換して得られる置換済価値情報を送信する。【０１０４】
照合用情報を無効にするには、価値管理データベース装置９０１に対して、テーブル９０３のその照合用情報が格納されているフィールドの値を例えば、ＮＵＬＬなどの値に置き換える命令を送信する。また、新たな有効な照合情報を準備するには、乱数を価値管理データベース装置９０１や価値管理サーバ装置１００１で生成などして、その乱数をＮＵＬＬなどの値に置き換えられたフィールドに設定する命令を価値管理データベース装置９０１に対して送信する。「ＮＵＬＬなどの値に置き換える命令」、「乱数をＮＵＬＬなどの値に置き換えられたフィールドに設定する命令」のように２つの命令に分離されている必要はなく、一つの命令により、ＮＵＬＬなどの値への置き換えによる無効化の処理と、乱数をＮＵＬＬなどの値に置き換えられたフィールドに設定し、新たな乱数を有効な照合用情報として準備する処理とが行われるようになっていてもよい。【０１０５】
例えば、Ｖ１２３４５という照合用情報が受信部１００３で受信された価値情報に含まれていれば、テーブル９０３のレコードのうちＶ１２３４５が格納されているレコードを価値管理データベース装置９０１に検索させ、その照合用情報のフィールドの値をＮＵＬＬにする。そして、新たな乱数を生成し、この乱数が例えば、Ｖ２３４５６であれば、ＮＵＬＬにされたフィールドの値をＶ２３４５６に更新する。また、受信部１００３で受信された価値情報に含まれるＶ１２３４５という照合用情報をＶ２３４５６に置換して置換済価値情報を生成してエスクローサーバ装置１００２に送信する。この場合、受信部１００３が取引番号などを含めて受信している場合には、その取引番号などを置換済価値情報と共に送信する。【０１０６】
図１１は、価値管理サーバ装置１００１の処理の流れを説明するフローチャートを示す。ステップＳ１１０１として、受信部１００３により価値情報等を受信する処理を行う。次にステップＳ１１０２として、判断部１１０２において、その価値情報等に含まれる照合用情報が有効であるかどうかを判断する処理を行う。【０１０７】
ステップＳ１１０３として、判断の結果を参照し、もし有効であれば、ステップＳ１１０５へ処理を移行させ、有効でなければステップＳ１１０４へ処理を移行させる処理を行う。ステップＳ１１０４の処理として、エラー通知などを購入者端末装置１０１へ返信するなどの処理を行う。【０１０８】
送信部１００５にて、ステップＳ１１０５として、有効と判断された照合用情報を無効にする処理を行い、ステップＳ１１０６として、新たな有効な照合用情報を準備する処理を行い、ステップＳ１１０７として、ステップＳ１１０１で受信された価値情報等に含まれる照合用情報を、ステップＳ１１０６にて準備された照合用情報に置換する処理を行い、ステップＳ１１０８として、置換する処理が行われた価値情報等を送信する。【０１０９】
図１２は、エスクローサーバ装置１００２が価値管理サーバ装置１００１を介して購入者端末装置１０１より価値情報を受信する別の構成を示す。図１２においては、エスクローサーバ装置１０３の価値情報受信部１１６が、購入者端末装置１０１より価値情報を取引番号と共に受信し、価値情報を抽出した後に、その価値情報を価値管理サーバ装置１２０１へ送信する。価値管理サーバ装置１２０１は、受信部１００３で価値情報を受信し、判断部１００４で価値情報に含まれる照合用情報の有効性を判断し、その結果により有効であれば、送信部１００５により、その照合用情報を無効化し、新たな有効な照合用情報を準備して置換して、置換済価値情報を送信する。エスクローサーバ装置１２０２の価値情報受信部１１６は、その置換済価値情報を受信する。【０１１０】
図１２の構成では、価値管理サーバ装置１２０１は、価値情報の送信先に置換済価値情報を返信すればよい。一方、図１０の構成では、価値管理サーバ装置１２０１は、エスクローサーバ装置の代理サーバ（プロキシーサーバ）として動作する必要がある。したがって、図１２の構成の方が、価値管理サーバ装置の構成が簡略化されることになる。【０１１１】
本実施形態によれば、価値管理サーバ装置を用いることにより、代金の支払いに用いられる価値情報の二重使用を防止することができる。【０１１２】
（実施形態３）
本発明においては、エスクローサーバ装置は、配送業者サーバ装置に対して配送状況を問い合わせて、その結果に応じて、購入者端末装置より受信した価値情報に関連付けられている価値の一部が関連付けられた価値情報を送信する場合がある。本発明の実施形態３としては、この場合の処理を中心に説明する。【０１１３】
図１３は、本発明の実施形態３に係る価値管理サーバ装置の機能ブロック図を示す。価値管理サーバ装置１３００は、実施形態２と同様に、送信部１００３と、判断部１００４と送信部１００５とを有する。本実施形態では、受信部１００３が分割情報受信手段１３０１と分割手段１３０２とを有している。【０１１４】
分割情報受信手段１３０１は、分割情報を受信する。分割情報とは、受信部１００３により受信された価値情報により表される価値の分割の仕方を表す情報である。図９に示されるように価値情報が表す価値は貨幣価値である金銭価値として表されるので、分割することが可能である。そこで、受信部１００３により受信された価値情報により表される価値をどのように分割するかを指定する。例えば、エスクローサーバ装置が購入者端末装置より配送料と物品等の対価を含む価値の価値情報を受信した場合であり、かつ、物品等を配送業者が受け取り、配送を開始したことが配送業者サーバ装置への問い合わせの結果により判明した場合に、エスクローサーバ装置が配送料に相当する価値の価値情報を送信する場合には、購入者端末装置より受信した価値情報の表す価値を配送料の分と残りの分とに分割する必要がある。そこで、この場合には、本実施形態では、エスクローサーバ装置は、価値管理サーバ装置１３００に向けて、価値情報と共に配送料の分と残りの分に分割する指示を表す分割情報を送信する。【０１１５】
分割手段１３０２は、分割情報受信手段１３０１で受信された分割情報１３０４に従って、受信部１００３が受信した価値情報１３０３の価値を分割し、分割された価値の一方を価値情報１３０３が表すようにし、分割された価値の他方を表す新たな価値情報を生成する。【０１１６】
具体例を示すと、例えば、図９に示されるように、受信部１００３が受信した価値情報１３０３が１１２００円の価値を表すＶ１２３４５という照合用情報を含むとし、分割情報受信手段１３０１が受信した分割情報１３０４が、価値情報を６００円と残りの１０６００円とに分割することを指示する情報であるとする。この場合、分割手段１３０２は、価値管理データベース装置９０１に対して、照合用情報Ｖ１２３４５に関連付けられている１１２００円を例えば１０６００円に変更し、新たな乱数を生成し、それを６００円と関連付けられる照合用情報としてテーブル９０３に挿入して登録を行うように命令を発する。これにより、例えば、価値情報１３０３が、１０６００円の価値を表す価値情報１（１３０４）と、６００円の価値を表す価値情報２（１３０５）とに分割される。【０１１７】
そして、価値情報１（１３０４）は判断部１３０４に出力される。なお、分割手段１３０２が判断部１３０４を含み、価値情報１３０３の有効性を判断してから分割する構成もあり、その場合には、価値情報１（１３０４）と価値情報２（１３０５）は送信部１００５に送信される。【０１１８】
送信部１００５は、実施形態２で説明したように、価値情報１（１３０４）の照合用情報を無効として新たな有効な照合用情報を準備して置換済価値情報を生成する。本実施形態では、送信部１００５は、置換済価値情報とともに分割により新たに生成された価値情報も送信する。【０１１９】
本実施形態において、エスクローサーバ装置の価値情報送信部９０６は、例えば、図５に示したテーブルに格納されているレコードから価値情報を読み出し、その価値情報とともに分割情報を価値管理サーバ装置１３００へ送信し、その送信の結果として価値管理サーバ装置１３００から送信される価値情報の一方、例えば、配送料を表す価値が関連付けられた価値情報を送信し、他方を図５に示したテーブルに格納されているレコードの価値情報のフィールドの値として設定し、レコードの更新を行う。【０１２０】
本実施形態では、価値情報を２つに分割したが、３つ以上に分割してもよい。そして、売手、配送業者、問屋などの第３者に価値情報を送信できるようになっていてもよい。【０１２１】
本実施形態によれば、価値情報が分割されるので、実施形態１、２での効果に加えて、購入者端末装置からは一つの価値情報を送信すればよくなり、買手の手間を減らすことができる。
【図１】
2009087916.tif 000003
【図２】
2009087916.tif 000004
【図３】
2009087916.tif 000005
【図４】
2009087916.tif 000006
【図５】
2009087916.tif 000007
【図６】
2009087916.tif 000008
【図７】
2009087916.tif 000009
【図８】
2009087916.tif 000010
【図９】
2009087916.tif 000011
【図１０】
2009087916.tif 000012
【図１１】
2009087916.tif 000013
【図１２】
2009087916.tif 000014
【図１３】
2009087916.tif 000015
【国際調査報告】
2009087916.tif 000016
2009087916.tif 000017
2009087916.tif 000018